(57)【要約】【課題】空気調和機の構成部品の小型化、省スペース化、コスト低減すること。【解決手段】熱交換器を通過する空気中のごみを除去するフィルタ網２と、フィルタ網２に沿って室内機の左右方向に移動可能な吸引ノズル３であって吸引ノズル３の長手方向に移動可能な吸引孔を有した吸引ノズル３と、左右駆動を可能にする左右駆動用電気モータ８と、吸引ダクト５と、吸引装置６と、排気ダクト７とを有し、前記吸引ノズル３と吸引ダクト５と吸引装置６と排気ダクト７を順次連結し、吸引孔から吸引したごみを排気ダクト７より排出する機能を有し、つまり前記構成要素によりフィルタ自動清浄動作が可能であり、左右駆動用電気モータ８が所定時間動作後、一定時間動作を停止することをにより左右駆動電気モータ８の発熱を抑え、左右駆動電気モータ８の小型化、省スペース化、コスト低減することができる。【選択図】図１
2006132814.tif 000002
【特許請求の範囲】
【請求項１】
熱交換器を通過する空気中のごみを除去するフィルタと、前記フィルタに沿って室内機の左右方向に移動可能な吸引ノズルであって吸引ノズルの長手方向に移動可能な吸引孔を有した吸引ノズルと、左右駆動を可能にする左右駆動用電気モータと、吸引ダクトと、吸引装置と、排気ダクトとを有し、前記吸引ノズルと吸引ダクトと吸引装置と排気ダクトを順次連結し、吸引孔から吸引したごみを排気ダクトより排出する機能をもつ空気調和機であって、左右駆動用電気モータが所定時間動作後、一定時間動作を停止することを特徴とする空気調和機。
【請求項２】
熱交換器を通過する空気中のごみを除去するフィルタと、前記フィルタに沿って室内機の左右方向に移動可能な吸引ノズルであって吸引ノズルの長手方向に移動可能な吸引孔を有した吸引ノズルと、吸引ダクトと、吸引装置と、吸引装置を動作させる吸引用電気モータと、排気ダクトとを有し、前記吸引ノズルと吸引ダクトと吸引装置と排気ダクトを順次連結し、吸引孔から吸引したごみを排気ダクトより排出する機能をもつ空気調和機であって、吸引用電気モータが所定時間動作後、一定時間動作を停止することを特徴とする空気調和機。
【請求項３】
本体運転開始後、所定の時間内においては左右駆動用電気モータあるいは吸引用電気モータの動作停止を行わないことを特徴とする、請求項１〜２のいずれかに記載の空気調和機。
【発明の詳細な説明】
【技術分野】
【０００１】
本発明は空気調和機に関するものであり、さらに具体的には自動的にフィルタの自動清掃を行う制御方法に関するものである。
【背景技術】
【０００２】
従来は、ファンによって吸込んだ空気を熱交換器で冷却もしくは加熱した後、室内へ送風する空気調和機には、吸込む空気に漂う塵埃が空気調和機の本体内部へ侵入することを防ぐため、空気調和機の吸込口裏面にエアフィルタが設けられており、このエアフィルタは、付着した塵埃を手で清掃できるように着脱自在に構成されているものがあった。
また、エアフィルタの清掃が容易な空気調和機としては、モータで繰出し、巻き取られる帯状のフィルタと、除塵部材と、ダストボックスとを有するフィルタ装置を吸入パネル吸込口の裏面に設置したものが知られている（例えば、特許文献１参照）。
【特許文献１】特開２００１-９９４７９号公報（第３から４頁、第１図）
【発明の開示】
【発明が解決しようとする課題】
【０００３】
しかしながら、公知技術のエアフィルタは空気調和機の使用頻度に応じて空気調和機より取り外し、水洗い、もしくは掃除機などで付着した塵埃を掃除するという定期的なメンテナンスを要する。また、定期的なメンテナンスが成されなかった場合、エアフィルタに塵埃が堆積し吸込み空気の通気抵抗が増大するため空気調和機の性能が低下、消費電力が増大するという課題があった。
【０００４】
また、上下双方に繰出し、巻取り用の駆動モータと除塵部材によって巻取られる帯状のフィルタに付着した塵埃がダストボックスに回収されるため、ボックス内の保有量を超えるまでには、これを除去するという定期的なメンテナンスを要するという課題を有していた。
【０００５】
そこで、本発明は定期的なメンテナンスを要せず、容易にエアフィルタの清掃を行うとともに、利便性を向上した空気調和機を提供する事を目的とする。
【０００６】
また、これらの機構は吸引ノズルを左右に駆動するための左右駆動電気モータと、吸引装置を駆動するための吸引用電気モータが必要である。
しかしながら、前記電気モータを駆動させるためにはある程度大きな動力が必要となり、それによって電気モータが大きくならざるを得ない。
【０００７】
これは構成部品の大型化につながり、コストも高くなるという課題を有している。
【０００８】
それに反し、近年では製品の低コスト化小型化が進んでおり、構成される構成部品でも同じ事が要求されている。
【０００９】
本発明は、前記課題を解決するものであり、構成部品の小型化、低コスト化を目的とするものである。
【課題を解決するための手段】
【００１０】
前記従来の課題を解決するために、本発明の第１のフィルタ自動清掃装置は、吸引ノズルを左右に駆動するための左右駆動用電気モータの駆動が所定時間に達すると一定時間駆
動を停止するものである。
【００１１】
これによって、吸引ノズル左右駆動用電気モータの駆動時の発熱を抑え、電気モータの小型化が可能であり、構成部品の低コストを可能とすることができる。
【００１２】
また、本発明の第２のフィルタ自動清掃装置は、吸引装置を駆動するための吸引用電気モータの駆動が所定時間に達すると一定時間駆動を停止するものである。
【００１３】
これによって、吸引装置駆動用電気モータの駆動時の発熱を抑え、電気モータの小型化が可能であり、構成部品の低コストを可能とすることができる。
【発明の効果】
【００１４】
本発明のフィルタ自動清掃装置は、電気モータの発熱を低減することから、これにより構成部品の小型化、それに伴う省スペース化、低コスト化を実現するものである。
【発明を実施するための最良の形態】
【００１５】
第１の発明は、熱交換器を通過する空気中のごみを除去するフィルタと、前記フィルタに沿って室内機の左右方向に移動可能な吸引ノズルであって吸引ノズルの長手方向に移動可能な吸引孔を有した吸引ノズルと、左右駆動を可能にする左右駆動用電気モータと、吸引ダクトと、吸引装置と、排気ダクトとを有し、前記吸引ノズルと吸引ダクトと吸引装置と排気ダクトを順次連結し、吸引孔から吸引したごみを排気ダクトより排出する機能を有し、つまり前記構成要素によりフィルタ清浄動作が可能であり、左右駆動用電気モータが所定時間動作後、一定時間動作を停止することにより、左右駆動用電気モータの発熱を抑え、これにより左右駆動用電気モータの小型化、それに伴う省スペース化、低コスト化を可能とすることができる。
【００１６】
第２の発明は、熱交換器を通過する空気中のごみを除去するフィルタと、前記フィルタに沿って室内機の左右方向に移動可能な吸引ノズルであって吸引ノズルの長手方向に移動可能な吸引孔を有した吸引ノズルと、左右駆動を可能にする左右駆動用電気モータと、吸引ダクトと、吸引装置と、排気ダクトとを有し、前記吸引ノズルと吸引ダクトと吸引装置と排気ダクトを順次連結し、吸引孔から吸引したごみを排気ダクトより排出する機能を有し、つまり前記構成要素によりフィルタ清浄動作が可能であり、吸引装置を駆動するための吸引用電気モータが所定時間動作後、一定時間動作を停止することにより、吸引用電気モータの発熱を抑え、これにより吸引用電気モータの小型化、それに伴う省スペース化、低コスト化を可能とすることができる。
【００１７】
第３の発明は、特に第１および第２の発明において、エアコン本体起動後、所定時間はの動作停止を行わないものである。
【００１８】
この構成をなすことにより、左右駆動用電気モータあるいは吸引用電気モータの停止を頻繁に生じることなく、ごみ除去に必要な最低限の清浄運転時間を確保するものである。
【００１９】
以下、本発明の実施の形態について説明する。なお、この実施の形態によって本発明が限定されるものではない。
【００２０】
（実施の形態１）
図1は本発明の実施の形態１における空気調和機のフィルタ自動清掃装置の構成の例を示した図である。この図において熱交換器を通過する空気の塵埃を除去するエアフィルタは、フィルタ枠１と、フィルタ網２から構成され、そのエアフィルタの表面に沿って移動可能な吸引ノズル３が設けられる。吸引ノズル３はフィルタ枠の上下端に設置されたガイ
ドレール４により、エアフィルタと極めて狭い間隙を保って左右駆動モータ８の駆動により円滑に左右に移動することができる。
【００２１】
エアフィルタ上に付着した塵埃はこの吸引ノズル３より吸引される。さらに、吸引ノズル３には吸引ダクト５が連結され、さらに吸引ダクト５は吸引装置６に連結される。
【００２２】
吸引ダクト５は吸引ノズル３の移動に差し支えないように折り曲げ可能なダクトで形成される。
【００２３】
さらに、吸引装置６には吸引用電気モータが内蔵されており、排気ダクト７が連結され、室外へ引き回される。吸引ノズル３により吸引されたエアフィルタの塵埃は吸引ダクト５、吸引装置６、排気ダクト７を経由して室外へ排出される。
図１において、吸引ノズル３は左右駆動モータ８により左右に移動しているが、所定時間左右駆動モータが動作すると、一定の停止時間を設ける。
【００２４】
これにより、左右駆動モータの温度上昇を抑え、左右駆動用電気モータの小型化、それに伴う省スペース化、低コスト化を可能とすることができる。
【００２５】
（実施の形態２）
図1は本発明の実施の形態２における空気調和機のフィルタ自動清掃装置の構成の例を示した図である。
【００２６】
この図において熱交換器を通過する空気の塵埃を除去するエアフィルタは、フィルタ枠１と、フィルタ網２から構成され、そのエアフィルタの表面に沿って移動可能な吸引ノズル３が設けられる。
【００２７】
吸引ノズル３はフィルタ枠の上下端に設置されたガイドレール４により、エアフィルタと極めて狭い間隙を保って左右駆動モータ８の駆動により円滑に左右に移動することができる。
【００２８】
エアフィルタ上に付着した塵埃はこの吸引ノズル３より吸引される。さらに、吸引ノズル３には吸引ダクト５が連結され、さらに吸引ダクト５は吸引装置６に連結される。
【００２９】
吸引ダクト５は吸引ノズル３の移動に差し支えないように折り曲げ可能なダクトで形成される。
【００３０】
さらに、吸引装置６には吸引用電気モータが内蔵されており、排気ダクト７が連結され、室外へ引き回される。
【００３１】
吸引ノズル３により吸引されたエアフィルタの塵埃は吸引ダクト５、吸引装置６、排気ダクト７を経由して室外へ排出される。
【００３２】
図１において、吸引装置６は吸引用電気モータにより動作しているが、所定時間吸引用電気モータが動作すると、一定の停止時間を設ける。
【００３３】
これにより、吸引用電気モータの温度上昇を抑え、吸引用電気モータの小型化、それに伴う省スペース化、低コスト化を可能とすることができる。
【００３４】
（実施の形態３）
図1は本発明の実施の形態３における空気調和機のフィルタ自動清掃装置の構成の例を示した図である。
【００３５】
同図において、実施の形態１および２と同一のものについては説明を省略する。
【００３６】
実施の形態３においては、エアコン本体の運転開始後、所定の時間内においては、左右駆動用電気モータあるいは吸引用電気モータの動作停止を行わないものである。
【００３７】
この構成をなすことにより、運転開始後所定時間内はフィルタ自動清浄運転を停止しないので、フィルタを清掃するのに最低限必要な清掃時間を確保し、使用者に不快感を与えないものである。
【産業上の利用可能性】
【００３８】
以上のよに、本発明にかかるフィルタ自動清掃装置は、空気調和機の構成部品の小型化、省スペース化、コスト低減に関するものである。
【図面の簡単な説明】
【００３９】
【図１】本発明の実施の形態における空気調和機のフィルタ自動清掃清置の構成図
【符号の説明】
【００４０】
１  フィルタ枠
２  フィルタ網
３  吸引ノズル
４  ガイドレール
５  吸引ダクト
６  吸引装置
７  排気ダクト
８  左右駆動用電気モータ
【図１】
2006132814.tif 000003